(57)【要約】  近距離通信（ＮＦＣ）ネットワークにおける複数の電子装置間でデータを管理するための方法を提供する。上記方法は、第１の電子装置が複数の電子装置の中の少なくとも１つと通信リンクの確立を開始する。デスクトップ構成情報は、少なくとも他の電子装置と交換される。この後に、上記第１の電子装置のデスクトップデータは、上記複数の電子装置の中の少なくとも１つと共有されることができる。
2011505739.tif 000002
【特許請求の範囲】
【請求項１】
近距離通信（ＮＦＣ）ネットワークにおける第１の電子装置が複数の電子装置間でデータを管理する方法であって、
第２の電子装置と通信リンクを確立するステップと、
前記第２の電子装置とデスクトップ構成情報を交換するステップと、
前記第２の電子装置とデスクトップデータを共有するステップと
を具備することを特徴とするデータ管理方法。
【請求項２】
前記デスクトップ構成情報を交換するステップは、前記第２の電子装置と１つ又はそれ以上のレコードタイプ定義（ＲＴＤ）を相互にやりとりするステップを具備することを特徴とする請求項１に記載のデータ管理方法。
【請求項３】
前記デスクトップ構成情報を交換するステップは、前記第２の電子装置と構成情報に従って活性化デスクトップ共有（ＤＳ）レコードタイプ定義（ＲＴＤ）を相互にやりとりするステップを具備することを特徴とする請求項１に記載のデータ管理方法。
【請求項４】
前記デスクトップデータを共有するステップは、前記第１の電子装置でディスプレーされた活性化デスクトップデータを前記第２の電子装置に送信するステップを具備することを特徴とする請求項１に記載のデータ管理方法。
【請求項５】
前記デスクトップデータを共有するステップは、前記第１の電子装置でディスプレーされた活性化デスクトップデータの第１のセクションでアクションを前記第２の電子装置に実行するステップを具備することを特徴とする請求項１に記載のデータ管理方法。
【請求項６】
前記活性化デスクトップデータの第１のセクションでアクションを実行するステップは、前記第２の電子装置により前記第１の電子装置の１つ又はそれ以上のアプリケーションにアクセスするステップを具備し、
前記１つ又はそれ以上のアプリケーションは、セッションアプリケーション、マルチメディアアプリケーション、通信アプリケーション、オーディオ／ビデオアプリケーション、及びゲーミングアプリケーションの中の少なくとも１つのチャットを具備することを特徴とする請求項５に記載のデータ管理方法。
【請求項７】
前記第２の電子装置から受信された活性化デスクトップ共有レコードタイプ定義構成応答に基づいて前記デスクトップデータを共有するステップをさらに具備することを特徴とする請求項１に記載のデータ管理方法。
【請求項８】
前記デスクトップデータを前記第２の電子装置のディスプレー部及び前記第１の電子装置のディスプレー部上にディスプレーするステップをさらに具備することを特徴とする請求項１に記載のデータ管理方法。
【請求項９】
ピアツーピアモード通信及びリーダー／ライターモード通信の中の少なくとも１つに基づいて前記第１の電子装置と前記第２の電子装置との間で通信ネットワークを設定するステップをさらに具備することを特徴とする請求項１に記載のデータ管理方法。
【請求項１０】
前記通信ネットワークを設定するステップは、１つ又はそれ以上の近距離無線通信ネットワークを確立するステップを具備することを特徴とする請求項９に記載のデータ管理方法。
【請求項１１】
近距離通信（ＮＦＣ）ネットワークにおける第１の電子装置を含む複数の電子装置間でデータを管理する装置であって、
少なくとも第２の電子装置と通信リンクを確立する送受信部と、
前記第２の電子装置とデスクトップ構成情報を交換し、前記第２の電子装置とデスクトップデータを共有するためのプロセッサと
を具備する前記第１の電子装置を含むことを特徴とするデータ管理装置。
【請求項１２】
前記プロセッサは、前記第２の電子装置と１つ又はそれ以上のレコードタイプ定義を相互にやりとりすることにより前記デスクトップ構成情報を交換することを特徴とする請求項１１に記載のデータ管理装置。
【請求項１３】
前記プロセッサは、前記デスクトップ構成情報に従って前記第２の電子装置と活性化デスクトップ共有（ＤＳ）レコードタイプ定義（ＲＴＤ）を相互にやりとりすることにより、前記デスクトップ構成情報を交換することを特徴とする請求項１１に記載のデータ管理装置。
【請求項１４】
前記送受信部は、前記第１の電子装置でディスプレーされた活性化デスクトップデータを前記第２の電子装置に送信することにより前記デスクトップデータを共有することを特徴とする請求項１１に記載のデータ管理装置。
【請求項１５】
前記第２の電子装置は、前記第１の電子装置でディスプレーされた活性化デスクトップデータの第１のセクションでアクションを実行することを特徴とする請求項１１に記載のデータ管理装置。
【請求項１６】
前記第２の電子装置は、前記第１の電子装置の１つ又はそれ以上のアプリケーションにアクセスし、
前記１つ又はそれ以上のアプリケーションは、セッションアプリケーション、マルチメディアアプリケーション、通信アプリケーション、オーディオ／ビデオアプリケーション、及びゲーミングアプリケーションの中の少なくとも１つのチャットを具備することを特徴とする請求項１５に記載のデータ管理装置。
【請求項１７】
前記プロセッサは、前記第２の電子装置から受信された活性化デスクトップ共有（ＤＳ）レコードタイプ定義（ＲＴＤ）構成応答に基づいて前記デスクトップデータを共有することを特徴とする請求項１１に記載のデータ管理装置。
【請求項１８】
前記第２の電子装置は、前記第１の電子装置のディスプレー部上に前記デスクトップデータをディスプレーするディスプレー部を具備することを特徴とする請求項１１に記載のデータ管理装置。
【請求項１９】
前記第１の電子装置及び前記第２の電子装置は、ピアツーピアモード通信及びリーダー／ライターモード通信の中の少なくとも１つに基づいて通信ネットワークを設定し、
前記通信ネットワークは、１つ又はそれ以上の近距離無線通信ネットワークを具備することを特徴とする請求項１１に記載のデータ管理装置。
【発明の詳細な説明】
【技術分野】
【０００１】
本発明は、一般的に、短い範囲の無線通信ネットワークにおけるデータの管理に関する技術である。特に、本発明は、近距離通信（Near Field Communication：以下、“ＮＦＣ”と称する。）ネットワークにおいて電子装置間のデータを共有する方法及び装置に関する。
【背景技術】
【０００２】
移動端末、ＰＤＡ、及びセットトップボックスなどを含む（しかしながら、これに限定されない）携帯用電子装置は、通信のために頻繁に使用される。例えば、このような電子装置は、遠距離通信ネットワークのようなネットワーク上で通信及び直接的通信のために使用される。しかしながら、このような携帯用電子装置の使用は、通信に厳格に限定されない。この携帯用電子装置は、データを共有するか、音楽を聞くか、格納されているビデオを見るか、活性化されたコンテンツ／実時間コンテンツなどを見ることができるのに使用されることができる。例えば、移動電話のユーザは、この移動電話を介してビデオを見ることができ、音楽を聞くことができ、短文／マルチメディアメッセージを送信することができる。
【０００３】
さらに、この移動電話のディスプレースクリーンのサイズが対応するビデオを見るのに適切でない場合に、このユーザは、より大きいディスプレースクリーンを有する他の電子装置に格納されているデータ（例えば、ビデオファイル）の共有及び／又は送信を行うことができる。このデータは、遠距離通信ネットワーク、近距離無線通信ネットワークなどを介して２つの電子装置間で共有されることができる。例えば、移動電話は、近距離無線通信、例えば、近距離無線（ブルートゥース（登録商標））、赤外光（ＩＲ）、及び近距離通信（ＮＦＣ）を介して他の電子装置とデータファイルを共有することができる。
【０００４】
ブルートゥース（登録商標）又は赤外光（ＩＲ）を使用してデータを共有するために、ユーザは、複数の動作を実行しなければならない。このような動作には、送信されるデータを選択し、通信技術（例えば、活性化されたブルートゥース又はＩＲ）を活性化し、この移動電話に隣接した電子装置を探索し、この選択されたデータを送信する電子装置を選択した後に、この選択された電子装置にデータを送信する動作などがある。
【０００５】
しかしながら、近距離無線通信技術であるＮＦＣにおいて、通信チャネルは、２つの電子装置が相互に近く位置し次第自動的に確立される。ＮＦＣは、１０センチメートル距離内の装置間でデータの交換を可能にする。したがって、ＮＦＣにおいて、データを共有するためのマニュアル介在は、非常に簡単である。したがって、本発明は、ブルートゥース又はＩＲよりはＮＦＣを使用してデータを共有するためのユーザのためにさらに有用に適用される。
【０００６】
上記した観点から、ＮＦＣを介して電子装置間でデータの管理及び共有を行うための方法及び装置が当該技術分野で長期間要求されてきた。
【発明の概要】
【発明が解決しようとする課題】
【０００７】
したがって、本発明は、上述した従来技術の問題点を解決するために提案されたものであり、その目的は、近距離通信（ＮＦＣ）を介して１つ又はそれ以上の電子装置間でデータを共有するための方法及び装置を提供することにある。
【課題を解決するための手段】
【０００８】
上記のような目的を達成するために、本発明の実施形態の一態様によれば、近距離通信（ＮＦＣ）ネットワークにおける複数の電子装置間でデータを管理する方法を提供する。この方法は、例えば、第１の電子装置でこの複数の電子装置の中の少なくとも１つと通信リンクを確立するステップを含む。この方法は、この複数の電子装置の中の少なくとも１つとデスクトップ構成情報を交換する。その後に、デスクトップデータは、この複数の電子装置の中の少なくとも１つと共有される。
【０００９】
本発明の実施形態の他の態様によれば、第１の電子装置が提供される。この第１の電子装置は、送受信部とプロセッサとを含むことができる。送受信部は、複数の電子装置の中の少なくとも１つと通信リンクを確立する。このプロセッサは、この複数の電子装置の中の少なくとも１つとデスクトップ構成情報の交換を可能にする。また、このプロセッサは、この第１の電子装置がこの複数の電子装置の中の少なくとも１つとデスクトップデータを共有することができるようにする。
【発明の効果】
【００１０】
上述した本発明の様々な実施形態は、次のような長所を提供する。本発明は、ＮＦＣを介して１つ又はそれ以上の電子装置間でデータを共有するための方法を提供する。活性化データ、すなわち、ＤＳ  ＲＴＤとして名付けられた新たなＮＦＣ  ＲＴＤを共有するために、この方法は、他の電子ハンドヘルド装置とともに共有される電子装置の活性化ディスプレー又は大きいか及び／又は小さいディスプレーを有する電子装置に適用される。また、他の／付加の電子装置、例えば、少なくとも第３の電子装置がＮＦＣを介して第２の電子装置又は第１の電子装置とリンクを確立した後に、第１の電子装置から１つ又はそれ以上のアプリケーションにアクセスするために活性化ディスプレーを共有することができる。
【００１１】
さらに、このような方法を用いて、活性化デスクトップは、簡素なＮＦＣ接触を介して共有されることができる。これにより、現在の活性化デスクトップデータは、ピア電子装置とともに共有される。この活性化デスクトップデータは、空のデスクトップ（ウォールペーパーイメージ、クロックパラメータなど）、ＳＭＳコンテンツ、フォンブックエントリー（.vcf format）、チャットセッション開始、及びアプリケーション開始（ゲーミング）などであることができる。
【００１２】
本発明の方法は、ユーザが活性化データの特定の部分のみを共有することができるようにする。この方法は、電子装置の活性化データから特定のアプリケーションの開始及び使用を行うための電子装置に適用される。例えば、電子装置は、他の電子装置のカメラ特性を使用することができる。また、この方法は、活性化音声通信の送信を可能にする。例えば、電子装置の活性化音声通信は、他の電子装置とともに共有されることができる。
【図面の簡単な説明】
【００１３】
【図１】本発明の一実施形態による例示環境を示す図である。
【図２】本発明の一実施形態による第１の電子装置を示す図である。
【図３】本発明の一実施形態に従ってＲＴＤレイアウトを共有するデスクトップを示す図である。
【図４】本発明の一実施形態に従ってデスクトップ共有ＲＴＤを使用してデスクトップ構成交換のデータフォーマットの一例を示す図である。
【図５】本発明の他の実施形態に従ってデスクトップ共有ＲＴＤを使用してコンデンツ交換のデータフォーマットの一例を示す図である。
【図６】本発明の一実施形態に従ってＮＦＣでデータを管理するための方法を説明するメッセージフロー図である。
【図７】本発明の一実施形態に従ってＮＦＣでデータを管理するための方法の例示動作を説明するフローチャートである。
【発明を実施するための形態】
【００１４】
以下、様々な実施形態を説明するために使用される用語を例を挙げて記述する。このような用語は、本発明の実施形態の包括的な理解を助けるために提供されたものであり、本発明の範囲を限定するために使用されないという点は、当該技術分野における通常の知識を有する者には明らかである。第１及び第２のような用語は、同一の用語を有する対象間を区別するために使用され、年代順を示すか又は他のものを言及するためのものではない。１つのセットは、少なくとも１つのエレメントを含む空いていないセットとして定義される。
【００１５】
図１は、本発明の一実施形態による例示環境１００を示す図である。
【００１６】
図１を参照すると、環境１００は、複数の電子装置、例えば、電子装置１０２及び電子装置１０４を含む。しかしながら、２個の電子装置のみが環境１００で示され、環境１００が通常複数の電子装置を含むということは、当該技術分野における通常の知識を有する者には明らかである。
【００１７】
例えば、電子装置１０２及び１０４は、移動電話、テレビジョン、パーソナルデジタルアシスタント（ＰＤＡ）及びコンピュータを含むが、これは、限定されないいくつかの例を言及し、これらだけに限定されない。本実施形態での電子装置１０２及び１０４は、遠距離通信ネットワークを使用して相互に通信することができる。他の実施形態において、電子装置１０２及び１０４は、近距離無線通信技術を介して相互に通信することができる。近距離無線通信技術の例は、近距離無線（ブルートゥース（登録商標））、ＷＬＡＮ（ＩＥＥＥ８０２．１１）、赤外光（ＩＲ）、及び近距離通信（ＮＦＣ）が含まれるが、これらだけに限定されない。
【００１８】
環境１００において、電子装置１０２及び１０４は、ＮＦＣ技術を介して相互に通信することができる。本発明の実施形態において、電子装置１０４のユーザは、電子装置１０２のディスプレースクリーン上で電子装置１０４のディスプレースクリーンにディスプレーされたデータを見ることができる。本発明の実施形態において、このユーザは、予め定義された距離内に電子装置１０２及び１０４を初期に持ってこなければならない。
【００１９】
本発明の実施形態において、この予め定義された距離は、通信技術の標準で具体化される。例えば、ＮＦＣにおいて、予め定められた距離は、１０センチメートルより小さい。これらを相互に近くすべき理由は、１０センチメートル内で電子装置の間でデータを交換することができるためである。したがって、電子装置１０２及び１０４間で通信リンクが確立される際に、ＮＦＣを介してデータが交換されるか又は共有されることができる。したがって、電子装置１０４上にディスプレーされた活性化データは、電子装置１０２とともに共有されることができる。例えば、電子装置１０４のディスプレースクリーンでディスプレーされたデータは、電子装置１０２のディスプレースクリーンで見られることができる。
【００２０】
図２は、本発明の一実施形態による第１の電子装置１０４を示す図である。第１の電子装置を説明するために、参照符号は、図１に作られる。しかしながら、本発明の実施形態が任意の他の適切な記載例に役立つために説明されることができることは、当該技術分野における通常の知識を有する者には自明であろう。
【００２１】
図２を参照すると、第１の電子装置１０４は、好ましく送受信部２０２とプロセッサ２０４とを含む。送受信部２０２は、複数の電子装置の中の少なくとも１つの電子装置と通信リンクを確立する。本発明の実施形態において、送受信部２０２は、電子装置間、例えば、電子装置１０２と電子装置１０４との間でデータを送受信することができる。本実施形態において、送受信部２０２は、近距離送受信部である。環境１００（図１に図示）において、ＮＦＣを介して通信することができる電子装置１０２と電子装置１０４とが相互に予め定義されている距離内に位置する際に送受信部２０２を介して通信リンクが確立される。
【００２２】
この後に、プロセッサ２０４は、電子装置１０４が複数の電子装置の中の少なくとも１つ、例えば、電子装置１０２のような複数の装置とデスクトップ構成情報を交換することができるようにする。また、プロセッサ２０４は、電子装置１０２が少なくても１つの電子装置とデスクトップデータを共有することができるようにする。したがって、送受信部２０２は、初期にＮＦＣネットワークを確立する。この後に、プロセッサ２０４は、電子装置１０４でデスクトップ構成細部事項を確認する。
【００２３】
その後に、デスクトップ構成細部事項は、電子装置１０２とともに交換される。電子装置１０４のディスプレースクリーン上にディスプレーされたデータは、電子装置１０２とともに共有される。本発明の実施形態において、電子装置１０４のディスプレースクリーン上にディスプレーされたデータは、複数の電子装置の中の少なくとも１つの電子装置、例えば、図１に示した電子装置１０２から受信されたデスクトップ構成応答に基づいて共有される。このデスクトップ構成応答は、送受信部２０２を介して受信される。
【００２４】
さらに、電子装置１０２が活性化データを共有することができる場合に、電子装置１０２は、肯定応答としてこのデスクトップ構成応答を送信することができる。同様に、このデスクトップ構成応答は、電子装置１０２が活性化データを共有することができない場合に、否定応答であることができる。この後に、このデスクトップ構成応答は、電子装置１０４で処理される。本発明の実施形態において、このデスクトップ構成応答は、プロセッサ２０４により処理される。
【００２５】
図３は、本発明の実施形態によるデスクトップ共有レコードタイプ定義（ＲＴＤ）レイアウトを示す図である。
【００２６】
これから、図３を参照すると、デスクトップ共有（ＤＳ）ＲＴＤ３０２は、ＮＦＣレコードタイプ定義を含む。ＲＴＤは、アプリケーションエンティティーがＮＦＣで送信されることによりユニフォーム方式として定義されることができる。
【００２７】
ＤＳ  ＲＴＤ３０２は、活性化デスクトップデータを交換するために使用される。ＤＳ  ＲＴＤ３０２のサイズは、１バイト、すなわち、８ビットである。ＤＳ  ＲＴＤ３０２は、交換される活性化データに関連した情報を含む。本発明の実施形態において、ＤＳ  ＲＴＤ３０２は、ＤＳフィールド３０４と、ＤＳヘッダーフィールド３０６と、マルチプル構成レコード又はコンデンツレコードフィールド３０８とを含む。ＤＳフィールド３０４は、１番目のビット（ビット０をＢ０とも呼ぶ）を示す。Ｂ０は、ＤＳ  ＲＴＤヘッダータイプと関連する。例えば、ＤＳ  ＲＴＤ３０２のＢ０内の値は、通信のタイプを通知する。Ｂ０の値は、ＤＳ  ＲＴＤ３２０が構成レコードヘッダー又はコンデンツ送信ヘッダーとして使用されるか否かを示す。したがって、ＤＳフィールド３０４は、構成のタイプを識別する。例えば、ＤＳフィールド３０４の通信は、構成又はデータ交換のためである。
【００２８】
ビットフィールド３０６は、１番目のビットの次の３つのビット（ビット１、ビット２、及びビット３）（以下、それぞれＢ１、Ｂ２、及びＢ３と称する）を格納する。Ｂ１、Ｂ２、及びＢ３は、現在の活性化デスクトップ情報と関連する。この現在の活性化デスクトップ情報は、例えば、空のデスクトップ（ウォールペーパーイメージ、クロックパラメータなど）、ＳＭＳ（短文メッセージサービス）コンデンツ、アプリケーション開始、フォンブックエントリー（.Vcf format）、及び／又はチャットセッション開始などを含むことができる。ビットフィールド３０８は、残りのビット（ビット４、ビット５、ビット６、及びビット７）（以下、それぞれＢ４、Ｂ５、Ｂ６、及びＢ７と称する）を格納することができる。Ｂ４、Ｂ５、Ｂ６、及びＢ７は、マルチプル構成レコード又はコンデンツレコードのために使用される。Ｂ４、Ｂ５、Ｂ６、及びＢ７は、マルチプル構成レコード又はコンデンツレコードのために使用される。本発明の実施形態において、このデスクトップ共有レコードタイプ定義は、異なるタイプの構成の交渉を統一された方法で実行する。本発明の他の実施形態において、このデスクトップ共有レコードタイプ定義は、異なるアプリケーションタイプごとにデータコンデンツの交渉を実行する。
【００２９】
図４は、本発明の一実施形態に従ってＤＳ  ＲＴＤを使用してデスクトップ構成交換のデータフォーマットの一例を示す図である。
【００３０】
これから、図４を参照すると、ＤＳ  ＲＴＤは、１つのバイト（８ビット）フィールドである。ＤＳ  ＲＴＤは、ビットフィールド４０２と、ビットフィールド４０４と、ビットフィールド４０６とを含む。ビットフィールド４０２は、Ｂ０を示す１つのビットフィールドである。Ｂ０の値は、ＤＳ  ＲＴＤヘッダーを示す。本発明の実施形態において、Ｂ０の値が‘０’である際に、ＤＳ  ＲＴＤは、構成交換レコードのために機能する。
【００３１】
ビットフィールド４０４は、好ましくＢ０の次の３つのビット（ビット１、ビット２、及びビット３）を示す３つのビットフィールドを備える。Ｂ１、Ｂ２、及びＢ３のそれぞれの値は、通信で活性化デスクトップ情報／データを示す。本発明の実施形態において、この３つのビット（Ｂ１、Ｂ２、及びＢ３）のすべての値が‘０’である場合、例えば、Ｂ１Ｂ２Ｂ３が‘０００’である場合に、空のデスクトップに関連した情報は、複数の電子装置の中の少なくとも１つの電子装置に送信される。Ｂ１及びＢ２の値が‘０’であり、Ｂ３の値が‘１’である場合に、例えば、Ｂ１Ｂ２Ｂ３が‘００１’である場合に、チャットセッションに関連した情報を共有する。
【００３２】
同様に、Ｂ１及びＢ３の値が‘０’であり、Ｂ２の値が‘１’である場合、例えば、Ｂ１Ｂ２Ｂ３が‘０１０’である場合に、ＳＭＳコンデンツに関連した情報を共有する。Ｂ１の値が‘０’であり、Ｂ２及びＢ３の値が‘１’である場合、例えば、Ｂ１Ｂ２Ｂ３が‘０１１’である場合に、アプリケーション開始に関連した情報を共有する。Ｂ１の値が‘１’であり、Ｂ２及びＢ３の値が‘０’である場合、例えば、Ｂ１Ｂ２Ｂ３が‘１００’である場合に、フォンブックに関連した情報を共有する。
【００３３】
上記で説明したビットの値及びこの値に対応するアプリケーションは、明瞭性の目的のためのものであり、本発明の範囲を限定するのではない。したがって、当該技術分野における通常の知識を有する者は、任意のアプリケーション及びデータのために任意の値を使用することができる。
本実施形態において、ビットフィールド４０６は、次の４つのビット、例えば、ビット４、ビット５、ビット６、及びビット７（以下、Ｂ４、Ｂ５、Ｂ６、及びＢ７と称する。）を示す３ビットワイドフィールドを含む。Ｂ４、Ｂ５、Ｂ６、及びＢ７の値は、ハンドオーバ又は他のＲＴＤ包含に関する情報を示す。本発明の実施形態において、ＤＳ  ＲＴＤは、マルチプルデータレコードだけではなくマルチプル構成レコードをシングルＲＴＤレコードに組み込むことができる。
【００３４】
明瞭さのために、ＤＳ  ＲＴＤを構成するビットの値が示す情報は、次のように要約される。
【００３５】
１．Ｂ０が‘０’として設定される際に構成ヘッダーを示す。
【００３６】
２．Ｂ１、Ｂ２、及びＢ３が次のような値として設定される際に、
‘０００’として設定される際に空のデスクトップの活性化コンデンツを共有することを示し、
‘００１’として設定される際にチャットセッションの活性化コンデンツを共有することを示し、
‘０１０’として設定される際にＳＭＳコンデンツの活性化コンデンツを共有することを示し、
‘０１１’として設定される際にアプリケーション開始の活性化コンデンツを共有することを示し、
‘１００’として設定される際にフォンブックの活性化コンデンツを共有することを示す。
【００３７】
３．Ｂ４、Ｂ５、Ｂ６、及びＢ７は、ハンドオーバ又は他のＲＴＤ包含に関する情報を示す。
【００３８】
本発明の実施形態において、Ｂ４、Ｂ５、Ｂ６、及びＢ７は、ＤＳ  ＲＴＤレコードとともにピギーバックされたＲＴＤの任意の他のタイプの情報をリレーするために使用されることができる。
【００３９】
図５は、本発明の他の実施形態に従ってＤＳ  ＲＴＤを使用してコンデンツ交換のヘッダーフォーマットを示す図である。
【００４０】
図５に示す例を参照すると、ＤＳ  ＲＴＤは、好ましくＢ０フィールド５０２と、Ｂ１−Ｂ３フィールド５０４と、Ｂ４−Ｂ６フィールド５０６と、Ｂ７フィールド５０８とを含む。
【００４１】
Ｂ０フィールド５０２は、１番目のビットであるＢ０を示す。Ｂ０は、ＤＳ  ＲＴＤヘッダーを示す。本発明の実施形態において、Ｂ０の値が‘１’として設定される際に、ＤＳ  ＲＴＤは、構成交換レコードのための機能をする。
【００４２】
Ｂ１−Ｂ３フィールド５０４は、Ｂ０の次の３つのビット（Ｂ１、Ｂ２、及びＢ３）を示す。Ｂ１、Ｂ２、及びＢ３のそれぞれの値は、活性化デスクトップ情報を示す。本発明の実施形態において、３つのビット（Ｂ１、Ｂ２、及びＢ３）のすべての値が‘０’である場合、例えば、Ｂ１Ｂ２Ｂ３が‘０００’である場合に、空のデスクトップに関連した情報は、複数の電子装置の中の少なくとも１つの電子装置に送信される。同様に、Ｂ１及びＢ２の値が‘０’であり、Ｂ３の値が‘１’である場合、例えば、Ｂ１Ｂ２Ｂ３が‘００１’である場合に、チャットセッションに関連した情報を共有する。
【００４３】
さらに、Ｂ１及びＢ３の値が‘０’であり、Ｂ２の値が‘１’である場合、例えば、Ｂ１Ｂ２Ｂ３が‘０１０’である場合に、ＳＭＳコンデンツに関連した情報を共有する。Ｂ１の値が‘０’であり、Ｂ２及びＢ３の値が‘１’である場合、例えば、Ｂ１Ｂ２Ｂ３が‘０１１’である場合に、アプリケーション開始に関連した情報を共有する。Ｂ１の値が‘１’であり、Ｂ２及びＢ３の値が‘０’である場合、例えば、Ｂ１Ｂ２Ｂ３が‘１００’である場合に、フォンブックに関連した情報を共有する。
【００４４】
図５を参照すると、Ｂ４−Ｂ６フィールド５０６は、この３つのビットの次の３つのビット（Ｂ４、Ｂ５、Ｂ６）を示す。Ｂ４、Ｂ５、及びＢ６の値は、ハンドオーバ通信レコードのタイプを示す。本発明の実施形態において、３つのビット（Ｂ４、Ｂ５、Ｂ６）のすべての値が‘０’に設定される場合、例えば、Ｂ４Ｂ５Ｂ６が‘０００’である場合に、ブルートゥースハンドオーバレコードコンデンツを示す。Ｂ４及びＢ５の値が‘０’であり、Ｂ６が‘１'である場合、例えば、Ｂ４Ｂ５Ｂ６が‘００１’である場合に、Ｗｉ−Ｆｉハンドオーバレコードに関連した情報を示す。
【００４５】
同様に、Ｂ４及びＢ６の値が‘０’であり、Ｂ５が‘１’である場合、例えばＢ４Ｂ５Ｂ６が‘０１０’である場合に、ＷｉＭｅｄｉａハンドオーバレコードを示す。ビットフィールド５０８は、ビット７を示し、Ｂ７とも呼ぶ。本実施形態において、Ｂ７は、使用されず、未来の機能のために予約されることができる。上記で説明したビットの値及びこの値に対応するアプリケーションは、明瞭性の目的のためのものであり、本発明の範囲を限定するのではない。したがって、当該技術分野における通常の知識を有する者は、任意のアプリケーション及びデータのために任意の値を使用することができる。
【００４６】
明瞭さのために、ＤＳ  ＲＴＤを構成するビットの値が示す上記の情報は、次のように要約される。
【００４７】
１．Ｂ０が‘１’として設定される際にコンデンツレコードヘッダーを示す。
【００４８】
２．Ｂ１、Ｂ２、及びＢ３が次のような値として設定される際に、
‘０００’として設定される際に空のデスクトップの活性化コンデンツを共有することを示し、
‘００１’として設定される際にチャットセッションの活性化コンデンツを共有することを示し、
‘０１０’として設定される際にＳＭＳコンデンツの活性化コンデンツを共有することを示し、
‘０１１’として設定される際にアプリケーション開始の活性化コンデンツを共有することを示し、
‘１００’として設定される際にフォンブックの活性化コンデンツを共有することを示す。
【００４９】
３．Ｂ４、Ｂ５、及びＢ６が次のような値として設定される際に、
‘０００’として設定される際にブルートゥースハンドオーバレコードコンデンツを示し、
‘００１’として設定される際にＷｉＦｉハンドオーバレコードを示し、
‘０１０’として設定される際にＷｉＭｅｄｉａハンドオーバレコードを示し、
【００５０】
４．Ｂ７は、未来の使用のために使用されないか又は予約される。
【００５１】
図６は、本発明の一実施形態に従ってデータを共有するための方法を説明するメッセージフロー図である。
【００５２】
本発明の実施形態において、２つの電子装置間で共有する活性化データについて説明する。電子送信装置１０４は、活性化データを共有するか又は活性化データを電子受信装置１０２に送信することができる。
【００５３】
例えば、受信装置１０２のデスクトップサイズが送信装置１０４より大きいサイズでディスプレーすることができる場合に、この活性化データは、さらに大きいディスプレースクリーン上でこのデータを見ることができるように共有される。例えば、任意の電子装置のディスプレースクリーンが小さい場合に、この活性化デスクトップデータは、より大きいディスプレースクリーンを有する電子装置とともに共有されることができる。他の例において、デスクトップデータは、電子装置のディスプレースクリーン上にディスプレーされた特定のアプリケーションの開始及び使用のために共有される。
【００５４】
さらに、複数のアプリケーションが１つの電子装置のデスクトップ上にディスプレーされる場合に、この複数のアプリケーションの１つ以上は、他の電子装置と共有されることができる。同様に、この複数のアプリケーションからの特定のアプリケーションのみが他の電子装置とともに共有されてもよい。したがって、デスクトップスクリーン上にハイライトされたアプリケーションは、他の電子装置の中の１つ又は複数の電子装置とともに共有されることができる。したがって、このハイライトされたアプリケーションは、他の電子装置により容易に開始されることができる。
【００５５】
さらに、上述したハイライトされたアプリケーションは、ユーザの選好度別に構成されることもできる。例えば、チャットアプリケーションのためにそれぞれのパラメータを有するチャットセッション開始が交換され、このチャットアプリケーションの開始のためのデータは、現在のカーソル位置を使用して共有される。
【００５６】
図６を参照すると、活性化データを共有するために、ＮＦＣ接触を介して送信装置１０４と受信装置１０２との間で通信チャネルが確立される。この後に、ステップ６０２で、送信装置１０４は、受信装置１０２とともに構成情報を有する活性化デスクトップ共有ＲＴＤ（図４と関連して上述した）を送信する。ステップ６０４で、受信装置１０２は、デスクトップ構成応答を送信装置１０４に送信する。本発明の実施形態において、受信装置１０２は、交渉値を含むデスクトップ構成応答を送信する。
【００５７】
この後に、ステップ６０６で、送信装置１０４は、ＤＳ  ＲＴＤ交換を介してデスクトップ共有構成情報を送信する。本発明の実施形態において、ＤＳ  ＲＴＤは、データが共有される際に受信装置１０２により送信装置１０４にも送信される。この後に、この活性化データは、受信装置１０２と送信装置１０４との間で交換される（図５と関連して上述した）。したがって、送信装置１０４からのデータは、受信装置１０２に継続して送信される。この後に、このデータは、受信装置１０２のディスプレースクリーン上に継続してディスプレーされる。したがって、送信装置１０４のディスプレースクリーン上にディスプレーされた活性化データは、受信装置１０２のディスプレースクリーン上にディスプレーされる。
【００５８】
図７は、本発明の一実施形態に従ってＮＦＣネットワークでデータを管理するための方法の例示動作を説明するフローチャートである。図７のフローチャートは、図１、図２、及び図３に定義された参照符号で説明される。しかしながら、本発明の実施形態が下記で説明される図面の範囲に限定されないことは、当該技術分野における通常の知識を有する者には明らかである。また、図７に示すように、この方法は、少しのステップ（又はそれ以上のステップ）を含むことができる。さらに、このステップの順序は、図示され記述されたものと異なってもよい。
【００５９】
図７を参照すると、ステップ７０４で、第１の電子装置、例えば、電子装置１０４は、複数の電子装置の中の少なくとも１つ、例えば、電子装置１０２と通信リンクを確立する。これら間の通信リンクは、好ましく近距離無線通信技術を介して確立される。本発明の実施形態において、この通信リンクは、近距離通信技術を介して確立される。例えば、電子装置１０４と電子装置１０２との間の通信は、ＮＦＣネットワークで通信のピアツーピアモードに基づいて確立されることができる。本発明の実施形態において、電子装置１０４と電子装置１０２との間の通信は、ＮＦＣで通信のリーダー／ライターモードに基づいて確立される。電子装置１０４の送受信部２０２は、電子装置１０２とともに通信リンクを確立する。
【００６０】
この後に、この通信リンクが確立されると、デスクトップ構成情報が交換される。ステップ７０６で、第１の電子装置は、複数の電子装置の中の少なくとも１つの電子装置とデスクトップ構成情報を交換する。例えば、電子装置１０４は、電子装置１０２とデスクトップ構成情報を交換する。このデスクトップ構成情報は、１つ又はそれ以上のＤＳ  ＲＴＤに基づいて交換される。本発明の実施形態において、電子装置１０４は、データフォーマット４００に基づいてデスクトップ構成情報を交換する。
【００６１】
ステップ７０８で、第１の電子装置は、この複数の電子装置の中の少なくとも１つの電子装置とともにデスクトップデータを共有する。例えば、電子装置１０４は、電子装置１０２とともにディスプレースクリーン上にディスプレーされたデータを共有する。したがって、電子装置１０４のディスプレースクリーン上にディスプレーされたデータは、電子装置１０２のディスプレースクリーンでディスプレーされる。
【００６２】
例えば、このデスクトップデータは、１つ又はそれ以上のＤＳ  ＲＴＤに基づいて共有されることができる。本発明の他の実施形態において、このデスクトップデータは、データフォーマット５００に基づいて共有される。本発明の特定の実施形態において、このデスクトップデータは、この複数の電子装置の中の少なくとも１つの電子装置から受信されたデスクトップ構成応答に基づいて共有される。ステップ７１０で、この方法は終了される。
【００６３】
以上、本発明の実施形態が図示され記述されてきたが、本発明及びその長所がこの実施形態のみに限定されるものではないことは自明である。添付した特許請求の範囲によって規定されるような本発明の精神及び範囲を逸脱することなく、様々な変形、変更、変化、代替、及び同等なものが可能であることは、当該技術分野における通常の知識を持つ者には明らかである。
【符号の説明】
【００６４】
１００  ・・・  環境
１０２，１０４  ・・・  電子装置
２０２  ・・・  送受信部
２０４  ・・・  プロセッサ
３０２  ・・・  デスクトップ共有（ＤＳ）ＲＴＤ
３０４  ・・・  ＤＳフィールド
３０６  ・・・  ＤＳヘッダーフィールド
３０７  ・・・  マルチプル構成レコード又はコンデンツレコードフィールド
４０２，４０４，４０６  ・・・  ビットフィールド
５０２  ・・・  Ｂ０フィールド
５０４  ・・・  Ｂ１−Ｂ３フィールド
５０６  ・・・  Ｂ４−Ｂ６フィールド
５０８  ・・・  Ｂ７フィールド
【図１】
2011505739.tif 000003
【図２】
2011505739.tif 000004
【図３】
2011505739.tif 000005
【図４】
2011505739.tif 000006
【図５】
2011505739.tif 000007
【図６】
2011505739.tif 000008
【図７】
2011505739.tif 000009
【国際調査報告】
2011505739.tif 000010
2011505739.tif 000011